(57)【要約】第１のパイロット信号が、第１のカバレッジ・エリア（例えば、屋外エリア）のための第１の周波数で送信される。第２のパイロット信号が、第２のカバレッジ・エリア（例えば、屋内エリア）のための第２の周波数で送信される。第２の周波数での第１のパイロット信号が、第２のカバレッジエリアの一部分の中に送信され、第２のカバレッジエリアが、第１のカバレッジエリアと少なくともオーバラップする。さらに、第１のパイロット信号が、第２のカバレッジエリア内で第２の周波数で送信される。一実施例では、第１の周波数での第１のパイロット信号が、屋外基地局（１０５）から送信され、第２の周波数での第２のパイロット信号が、屋内基地局（１１５）によって送信され、第２の周波数での第１のパイロット信号が、（例えば、必ずしも基地局にあるわけではない）アンテナ（１３０）によって第２のカバレッジエリア（例えば、建物の出口ポイント（１２０）から建物（１１０）の内部）の中に送信され、第１の周波数での第２のパイロット信号が屋内基地局によって送信される。上記で論じられたパイロット信号構成は、第１のカバレッジエリアと第２のカバレッジエリアとの間の呼ハンドオフを容易にすることができる。例えば、第１のカバレッジエリアが屋外エリアであり、第２のカバレッジエリアが建物の内部である場合、例示的パイロット信号構成はパイロット汚染を低減することができる。
2010515352.tif 000002
【特許請求の範囲】
【請求項１】
無線通信システムの中でのパイロット信号送信の方法であって、
第１に、第１のカバレッジエリアのための第１の周波数で第１のパイロット信号を送信するステップと、
第２に、第２のカバレッジエリアのための第２の周波数で第２のパイロット信号を送信するステップと、
第３に、前記第２のカバレッジエリアで前記第１の周波数で前記第２のパイロット信号を送信するステップとを備え、
前記第２のカバレッジエリアが前記第１のカバレッジエリアと少なくともオーバラップする、方法。
【請求項２】
前記第１の送信するステップが、屋外基地局から前記第１の周波数で前記第１のパイロット信号を送信し、
前記第２の送信するステップが、屋内基地局から前記第２の周波数で前記第２のパイロット信号を送信する、
請求項１または４に記載の方法。
【請求項３】
前記第３の送信するステップが、前記第１のカバレッジエリアおよび前記第２のカバレッジエリアの前記オーバラップする領域の中で前記第１の周波数で前記第２のパイロットを送信し、
前記第１のカバレッジエリアおよび前記第２のカバレッジエリアの前記オーバラップする領域が、建物の入口および出口のうちの１つを含む、
請求項１に記載の方法。
【請求項４】
無線通信システムの中でのパイロット信号送信の方法であって、
第１に、第１のカバレッジエリアのための第１の周波数で第１のパイロット信号を送信するステップと、
第２に、第２のカバレッジエリアのための第２の周波数で第２のパイロット信号を送信するステップとを備え、前記第１のカバレッジエリアが前記第２のカバレッジエリアと少なくともオーバラップし、
第３に、前記第１のパイロット信号を前記第２の周波数で前記第２のカバレッジエリアの一部分の中に、前記一部分が前記第２のカバレッジエリアから前記第１のカバレッジエリアへ横切られるとき前記第２の周波数での前記第１のパイロット信号の信号強度が増大するように、送信するステップを備える方法。
【請求項５】
無線通信システムの中での呼ハンドオフを容易にする方法であって、
第１の周波数での第１のパイロットから第１の周波数での第２のパイロットへハンドオフするようにとの要求を移動局から受信するステップと、
前記第１の周波数での前記第２のパイロットが前記第１の周波数のダミー・パイロットであるかどうかを判定するステップと、
前記判定するステップが、前記第１の周波数での前記第２のパイロットが前記第１の周波数のダミー・パイロットであると判定した場合は、第２の周波数での前記第２のパイロットにハンドオフするようにとの命令を前記移動局に送信するステップとを備える方法。
【請求項６】
前記第１の周波数での前記第１のパイロットが屋内基地局に関連し、前記第２の周波数での前記第２のパイロットが屋外基地局に関連する、請求項５に記載の方法。
【請求項７】
前記第１の周波数での前記第１のパイロットが屋外基地局に関連し、前記第２の周波数での前記第２のパイロットが屋内基地局に関連する、請求項５に記載の方法。
【請求項８】
前記第１の周波数での前記第２のパイロットが、屋内カバレッジエリアおよび屋外カバレッジエリアをオーバラップする領域内に配置されたアンテナによって送信される、請求項５に記載の方法。
【請求項９】
前記アンテナが建物の入口および建物の出口のうちの１つの中にさらに配置される、請求項８に記載の方法。
【請求項１０】
前記判定するステップが、前記移動局の近くの前記無線通信システムの中のどの基地局も前記第１の周波数での前記第２のパイロット信号で動作しない場合は、前記第１の周波数での前記第２のパイロットがダミー信号であると判定する、請求項５に記載の方法。
【発明の詳細な説明】
【技術分野】
【０００１】
本願は、中華人民共和国国家知識産権局に２００６年１２月２９日に出願の中国特許出願第２００６１０１７２４７９．２号に基づく優先権を主張するものであり、その開示の全ては、参照により本願に組み込まれる。
【０００２】
本発明の諸例示的実施形態は、一般に、無線通信システムの中でカバレッジを処理することに関し、より詳細には、無線通信システムの中でのパイロット信号に基づく呼処理の方法に関する。
【背景技術】
【０００３】
地方の電気通信システムでは、基地局が、通常、広範囲にわたる屋外カバレッジエリアをカバーするように配備される。地方地域の建築構造物は、通常、屋外基地局によって提供されるカバレッジエリアが屋内モバイルユーザと屋外基地局との間の通信をサポートし維持するのに十分であるように、十分に小さい。
【０００４】
しかし、都市地域では、建物は地方地域よりずっと大規模に建築される。オフィスビル、倉庫および超高層ビルなどの大きな建物は、建物の内部の中の、屋外基地局から提供されるカバレッジエリアを縮小する可能性がある。したがって、そのような建物の中には、通常、電気通信システムのカバレッジエリアが大きな建物の内部部分まで延在することができるように、屋内基地局が配備される。
【０００５】
通常の符号分割多元接続（ＣＤＭＡ）システムでは、屋内基地局および屋外基地局は、通常、同一の周波数で、しかしそれぞれ異なるパイロット擬似雑音（ＰＮ）オフセットで、モバイルユーザにサービスする。しかし、屋内／屋外基地局の同一周波数での実施のために「パイロット汚染」と呼ばれる現象が生じる可能性がある。パイロット汚染は、通常、モバイル受信電力が比較的高い（例えば、より高いＥｃの値）状況を表すが、最良のパイロット信号のＥｃ／Ｉｏは、比較的低い。パイロット汚染は、優勢パイロットを非常に不安定にし、それによって、モバイルの性能を低下させる。ＣＤＭＡによって動作する通常のモバイルは、アクティブセット（例えば、接続を確立するのに十分なパイロット信号強度を有する基地局のセット）内に維持するために最高６つまでのパイロット、および隣接セット（例えば、アクティブセットの中の基地局に隣接する基地局のセット）内に維持するために最高４０までのパイロットを探索することができる。
【０００６】
汚染されたパイロット・エリアの中に配置されたモバイルユーザは、通常、全ての利用可能なパイロット信号の信号強度を測定し、最も強い測定されたパイロット信号に関連する基地局を選択する。次いで、モバイルユーザは、（例えば、現在基地局に接続されていない場合は）選択された基地局との接続、または（例えば、現在選択された基地局以外の基地局に接続されている場合は）選択された基地局へのハンドオフをセットアップするよう要求する。しかし、選択された基地局の信号強度（Ｅｃ／Ｉｏ）がパイロット汚染のために比較的低い場合は、呼が安定的でない可能性がある。建物の中では、いくつかの「露出された」屋内エリアがパイロット汚染の増大したリスクを経験する可能性がある。例えば、屋外パイロット信号は「１階」の接続のために最適化されることができるだけなので、高いオフィスビルのより高い階のフロアは、窓または他の露出されたエリアの近くで屋外パイロット信号を受信する可能性がある。したがって、高層ビルのより高いフロア上に配置されたモバイルで（例えば、窓の近くで）受信される屋外パイロット信号は、予測不可能で、一貫していない可能性がある。モバイルが呼セットアップまたはハンドオフを確立するために屋外キャリアまたは基地局を利用する場合は、呼は安定的でない可能性があり、ドロップアウトのより高い確率を有する。建物内の露出されたエリアの他の例は、（例えば、通常、より低い階のフロアまたはロビーに配置されている）入口および／または出口である。したがって、モバイルユーザは、そのような露出されたエリアで、受信された屋内パイロット信号および屋外パイロット信号を測定し、屋外基地局または屋内基地局への呼セットアップかまたはハンドオフのどちらかを要求することができる。
【発明の概要】
【発明が解決しようとする課題】
【０００７】
しかし、建物の内部の大部分は、通常、屋内基地局によってよりよくサービスされ、一方、建物の外部の大部分は、通常、屋外基地局によってよりよくサービスされる。したがって、一実施例では、モバイルユーザが建物に入るときに露出されたエリアで屋外基地局に接続されている場合は、モバイルユーザがさらに建物の中に移動し、屋内基地局へのハンドオフが迅速に行われない場合は、モバイルユーザの呼がドロップされるより高い確率がある。同様に、他の実施例では、モバイルユーザが建物を出るときに露出されたエリアで屋内基地局に接続されている場合は、モバイルユーザが建物からさらに離れて移動し、屋外基地局へのハンドオフが迅速に行われない場合は、モバイルユーザの呼がドロップされるより高い確率がある。
【課題を解決するための手段】
【０００８】
本発明の一例示的実施形態は、無線通信システムの中でのパイロット信号送信の方法であって、第１に、第１のカバレッジエリアのための第１の周波数で第１のパイロット信号を送信するステップと、第２に、第２のカバレッジエリアのための第２の周波数で第２のパイロット信号を送信するステップと、第３に、第２のカバレッジエリアで第１の周波数で第２のパイロット信号を送信するステップとを含み、第２のカバレッジエリアが第１のカバレッジエリアと少なくともオーバラップする、方法を対象とする。
【０００９】
本発明の他の例示的実施形態は、無線通信システムの中でのパイロット信号送信の方法であって、第１に、第１のカバレッジエリアのための第１の周波数で第１のパイロット信号を送信するステップと、第２に、第２のカバレッジエリアのための第２の周波数で第２のパイロット信号を送信するステップとを含み、第１のカバレッジエリアが第２のカバレッジエリアと少なくともオーバラップし、第３に、第１のパイロット信号を第２の周波数で第２のカバレッジエリアの一部分の中に、この一部分が第２のカバレッジエリアから第１のカバレッジエリアへ横切られるとき第２の周波数での第１のパイロット信号の信号強度が増大するように、送信するステップを含む、方法を対象とする。
【００１０】
本発明の他の例示的実施形態は、無線通信システムの中での呼ハンドオフを容易にする方法であって、第１の周波数での第１のパイロットから第１の周波数での第２のパイロットへハンドオフするようにとの要求を移動局から受信するステップと、第１の周波数での第２のパイロットが第１の周波数のダミー・パイロットであるかどうかを判定するステップと、判定するステップが、第１の周波数での第２のパイロットが第１の周波数のダミー・パイロットであると判定した場合は、第２の周波数での第２のパイロットにハンドオフするようにとの命令を移動局に送信するステップとを含む、方法を対象とする。
【００１１】
本発明は、以下の詳細な説明、および、様々な図面において同様の参照数字は対応する部分を示す、例としてだけ提供された添付の図面から、より十分に理解されるようになるであろう。
【図面の簡単な説明】
【００１２】
【図１】本発明の一例示的実施形態による通信システムを示す図である。
【図２】本発明の一例示的実施形態による図１の通信システムの中で、屋内カバレッジ信号および屋外カバレッジ信号、ならびに屋内パイロット信号および屋外パイロット信号を構成するプロセスを示す図である。
【図３】モバイルユーザが本発明の一例示的実施形態による図１の通信システムを有する建物に入るとき行われる呼ハンドオフ要求プロセスを示す図である。
【図４】モバイルユーザが本発明の一例示的実施形態による図１の通信システムを有する建物を出るとき行われる呼ハンドオフ要求プロセスを示す図である。
【発明を実施するための形態】
【００１３】
本発明をよりよく理解するために、一例示的通信システム、それに続いて、本発明の一例示的実施形態による通信システムを構成する一実施例が説明される。次いで、構成された通信システムの中で行われる呼ハンドオフ・プロセスの諸実施例が説明される。
【００１４】
通信システム
図１は、本発明の一例示的実施形態による通信システム１００を示す。図１に示されているように、通信システム１００は、屋外基地局１０５、建物１１０、および建物１１０の中に配置された屋内基地局１１５を含む。モバイルユーザがその中で（例えば、屋内基地局１１５によってサービスされる建物１１０の中で、屋外基地局１０５によってサービスされる建物１１０の外側でなど）サービスされることができるカバレッジエリアを最適化するために、屋内基地局１１５および屋外基地局１０５のための位置を判定する方法は、当技術分野ではよく知られており、簡潔にするためにさらに詳細には説明されない。図１に示されているように、「ｉ」は屋内信号を示し、「ｏ」は屋外信号を示し、Ｆｉは屋内カバレッジ・キャリア（例えば、「屋内」カバレッジ・チャネルまたは周波数帯）を示し、Ｆｏは屋外カバレッジ・キャリア（例えば、「屋外」カバレッジ・チャネルまたは周波数帯）を示す。さらに、ＰＮｉは屋内ＰＮオフセットを示し、ＰＮｏは屋外ＰＮオフセットを示す。
【００１５】
図１の実施例では、屋内カバレッジまたは屋外カバレッジのために使用されるチャネルまたはキャリアはそれぞれ異なり、屋内キャリアと屋外キャリアとの間の周波数間ハンドオフは可能にされない。それぞれ異なるチャネルまたはそれぞれ異なるキャリアを有するＣＤＭＡ信号は、物理的に隔離されている（例えば、それぞれ異なるチャネル上の信号は、通常、相互に干渉しない）ので、たとえ屋外信号の強度が屋内信号よりずっと高くても、屋外信号が屋内信号を汚染する可能性はない。例えば、建物１１０のより高いフロアで、屋外信号が比較的高い電力レベルで受信された場合、屋内信号は、屋内信号のＥｃ／Ｉｏが高いレベルで維持されることができるように、比較的純粋のままである可能性がある。したがって、（例えば、屋内／屋外パイロット信号が、通常技術の場合のように、それらのそれぞれの電力レベルに基づいてだけ建物１１０の中の様々な位置で競合するのではなく）優勢パイロットが確立されることができ、屋内エリアの中の呼が建物１１０全体にわたって（例えば、より高いフロアの窓の近くででも）安定したままであることができる。
【００１６】
呼動作を維持するために、屋内キャリアと屋外キャリアとの間の周波数間ハンドオフは可能にされない。そうでない場合、周波数間ハンドオフがアクティブにされた場合は、モバイルは、モバイルが窓の近くにあるときに周波数間探索および周波数間ハンドオフを行うことができる。したがって、窓の近くのエリアがハンドオフ・エリアになり、モバイルは周波数間ハンドオフを屋内基地局と屋外基地局との間で双方向に行うことができ、これは呼を不安定にする可能性があり、ドロップ呼を引き起こす可能性がある。したがって、本発明の諸例示的実施形態では、屋内基地局および屋外基地局のための周波数間ハンドオフは可能にされないと仮定される。
【００１７】
図１には、建物１１０の中の建物アクセスポイント１２０がさらに示されている。建物アクセスポイント１２０は、人々（例えば、モバイルユーザ）が建物に入る、および／または出ることができる１つまたは複数の入口／出口ポイントを表してもよい。図１の例示的実施形態では、第１の表示パイロット信号がチャネルＦｉ上に配置され、ＰＮｏのパイロットＰＮオフセットを有する。したがって、第１の表示パイロット信号は、以下ではＦｉ（ＰＮｏ）と呼ばれる。パイロット・アンテナ１３０は、第１の表示パイロット信号Ｆｉ（ＰＮｏ）を送信する。パイロット・アンテナ１３０は、建物アクセスポイント１２０の中に、または少なくともそのすぐ近くに配置される。パイロット・アンテナ１３０の位置および方向は、第１の表示パイロット信号Ｆｉ（ＰＮｏ）の強度が建物アクセスポイント１２０に関して建物１１０の内部から建物１１０の外部へ増大するように構成される。
【００１８】
図１の例示的実施形態では、第２の表示パイロット信号がチャネルＦｏ上に配置され、ＰＮｉのパイロットＰＮオフセットを有する。したがって、第２の表示パイロット信号は、以下ではＦｏ（ＰＮｉ）と呼ばれる。第２の表示パイロット信号Ｆｏ（ＰＮｉ）は、屋内基地局１１５によって生成／送信される。したがって、たとえモバイルが建物１１０の窓の近くでアクティブであり、屋外チャネルでアイドルであっても、モバイルは、モバイルのユーザが建物１１０の内部へさらに移動した場合、屋内基地局１１５にハンドオフすることが理解されるであろう。さらに、屋内信号へのモバイル・ハンドオフの後では、モバイルは、通常、パイロット・アンテナ１３０によって送信された第１の表示パイロット信号Ｆｉ（ＰＮｏ）が優勢な建物アクセスポイント１２０の近くのエリアの中で以外は、屋外基地局１０５への後方へのハンドオフを行わないであろう。屋内基地局お屋外基地局１１５／１０５はそれぞれ異なるキャリアを使用し、周波数間ハンドオフは可能にされないので、モバイルは、建物１１０のより高いフロアの窓の近くで、屋外基地局１０５によって送信された屋外信号を検出する可能性がない。
【００１９】
通常は、屋内ＣＤＭＡ信号および屋外ＣＤＭＡ信号はどちらも同一のチャネルまたはキャリア上で送信され、それぞれ異なる基地局またはセクタ間の区別をつけるためにそれぞれ異なるパイロットＰＮオフセットが割り当てられる。しかし、本発明の諸例示的実施形態は、屋内カバレッジエリアおよび屋外カバレッジエリアのためのそれぞれ異なるチャネルまたはキャリアの割当てを対象とする。ＣＤＭＡプロトコルの下では、２つのそれぞれ異なるチャネルまたはキャリア間の周波数間ハンドオフ・モードが可能にされない場合は、モバイルは、通常、周波数間探索（例えば、現在の周波数以外の周波数におけるハンドオフ基地局の探索）を行わない。したがって、図１の例示的実施形態における第１の表示パイロット信号および第２の表示パイロット信号のチャネル割当てによって、たとえ屋外信号の強度が屋内信号より高くても、モバイルは屋外信号を探索または検出しないので、モバイルが、例えば、そのような状況で屋外基地局１０５にハンドオフするのではなく、窓の近くで屋内基地局１１５との接続を維持する可能性がより大きくなる。さらに、第１の表示パイロット信号および第２の表示パイロット信号が、（例えば、例えば建物１１０の中の「窓」エリアではなく）実質的に建物アクセスポイント１２０で、屋内基地局および屋外基地局１１５／１０５間のハンドオフをサポートするために提供される。
【００２０】
上記で論じられたように、パイロット・アンテナ１３０によって送信された第１の表示パイロットは屋外基地局と同一のパイロットＰＮを有するが、チャネルは屋内基地局と同一である。そのような構成は、ユーザが建物アクセスポイント１２０を通って建物１１０を出る場合は、モバイルが、屋外パイロットＰＮを有するパイロット信号を検出することができるようにする。屋内基地局１１５によって送信された第２の表示パイロットは、屋内信号と同一のパイロットＰＮを有するが、屋外信号と同一のチャネルまたはキャリア上で送信する。したがって、モバイルのユーザが建物アクセスポイント１２０を通って建物１１０に入る場合は、モバイルが、屋内パイロットＰＮを有するパイロット信号を検出することができる。したがって、屋内カバレッジおよび屋外カバレッジのためにそれぞれ異なるキャリアが使用されるので、屋内基地局および屋外基地局１１５／１０５間の円滑なハンドオフを維持しながら、建物１１０の中のパイロット汚染が低減される。
【００２１】
言い換えれば、図１の例示的実施形態を参照すると、モバイルユーザが屋内基地局１１５によってサービスされている場合は、モバイルユーザは基地局をそのアクティブセット内に維持し、現在サービスしている基地局と同一のチャネルまたはキャリア上でパイロット信号を送信させるであろう。したがって、モバイルユーザが屋内基地局１１５によってサービスされていると仮定すると、モバイルユーザは、周波数間探索／ハンドオフが可能にされないので、屋外基地局１０５によって送信された「屋外」パイロット信号を検出しないであろう。代替として、モバイルユーザが屋外基地局１０５によってサービスされていると仮定すると、モバイルユーザは、屋内基地局１１５によって送信された「屋内」パイロット信号を検出しないであろう。その代わりに、屋内サービスのモバイルユーザは、屋外基地局１０５を示す（すなわち、屋外パイロット信号の代わりに）、パイロット・アンテナ１３０によって送信された、第１の表示パイロット信号を検出するだけであろう。したがって、より高いフロアの窓の近くで、モバイルユーザは、屋外基地局１０５によって送信された屋外パイロット信号を無視し、モバイルユーザを「だまして」屋外基地局によって送信されていると思わせるためにパイロット・アンテナ１３０によって送信された第１の表示パイロット信号は、そのようなエリアで優勢であるためには弱すぎる可能性がある。
【００２２】
図２は、本発明の一例示的実施形態による図１の通信システム１００の中で、屋内カバレッジ信号および屋外カバレッジ信号、ならびに屋内パイロット信号および屋外パイロット信号を構成するプロセスを示す。図２の例示的実施形態は、図１の通信システム１００に関して以下で説明されるが、図２のプロセスは、屋外基地局および屋内基地局を有するいかなるＣＤＭＡベースの通信システムの中ででも代替として行われることができることが理解されるであろう。
【００２３】
図２のステップＳ２００において、システム設計者が屋外チャネル（Ｆｏ）および屋外擬似ランダム雑音（ＰＮ）オフセット（ＰＮｏ）を屋外基地局１０５の屋外カバレッジ信号に割り当てる。屋外カバレッジエリアが割り当てられた屋外チャネルは、基地局およびモバイルユーザが通信することができる配信キャリア周波数、帯域幅または周波数範囲を表す。次に、ステップＳ２０５において、同一のまたは異なるシステム設計者が、屋外チャネルＦｏ以外の屋内チャネル（Ｆｉ）、および屋内ＰＮオフセットＰＮｏ以外の屋内ＰＮオフセット（ＰＮｉ）を屋内基地局１１５に関連する屋内カバレッジ信号Ｆｉ（ＰＮｉ）に割り当てる。
【００２４】
図２のステップＳ２１０において、システム設計者が屋内チャネルＦｉおよび屋外ＰＮオフセットＰＮｏを、パイロット・アンテナ１３０によって送信される（図１に関してより詳細に上記で説明された）第１の表示パイロット信号Ｆｉ（ＰＮｏ）として割り当てる。一実施例では、ハードウェア・コストを低減するために、代替として信号Ｆｉ（ＰＮｏ）が屋内基地局１１５によって生成／送信され、次いで送信または再送信のためにパイロット・アンテナ１３０に転送されることができる。ステップＳ２１５において、システム設計者が屋外チャネルＦｏおよび屋内ＰＮオフセット（ＰＮｉ）を第２の表示パイロット信号Ｆｏ（ＰＮｉ）として割り当てる。したがって、第２の表示パイロット信号Ｆｏ（ＰＮｉ）は、屋内カバレッジ信号Ｆｉ（ＰＮｉ）と連携して建物１１０の屋内エリアをカバーするように構成される。一実施例では、第２の表示パイロット信号Ｆｏ（ＰＮｉ）が、割り当てられた屋外チャネルＦｏおよび屋内ＰＮオフセットＰＮｉで屋内基地局１１５によって送信されるように構成される。
【００２５】
ステップＳ２２０において、パイロット・アンテナ１３０が、建物アクセスポイント１２０の中に、または少なくともその近くに配置される。具体的には、パイロット・アンテナ１３０は、モバイルユーザが建物１１０を出るために建物アクセスポイント１２０に近づくにつれて、第１の表示パイロット信号Ｆｉ（ＰＮｏ）の強度が屋内から屋外へ増大するように、第１の表示パイロット信号Ｆｉ（ＰＮｏ）を「内部への」方向に送信するように配置される。
【００２６】
図２のステップＳ２２５において、屋内基地局１１５、屋外基地局１０５、および屋外パイロット信号１３０のそれぞれが、それらのそれぞれの信号を送信する。したがって、屋外基地局１０５は、屋外カバレッジ信号を（例えば、ステップＳ２００において割り当てられたように）割り当てられたチャネルＦｏおよびＰＮオフセットＰＮｏで送信し、パイロット・アンテナ１３０は、第１の表示パイロット信号Ｆｉ（ＰＮｏ）を（例えば、ステップＳ２１０において割り当てられたように）割り当てられた屋内チャネルＦｉおよび屋外ＰＮオフセットＰＮｏで送信し、屋内基地局１１５は、屋内カバレッジ信号Ｆｉ（ＰＮｉ）を（例えば、ステップＳ２０５において割り当てられたように）割り当てられた屋内チャネルＦｉおよび屋内ＰＮオフセットＰＮｉで送信し、屋内基地局１１５はまた、第２の表示パイロット信号Ｆｏ（ＰＮｉ）を（例えば、ステップＳ２１５において割り当てられたように）割り当てられた屋外チャネルＦｏおよび屋内ＰＮオフセットＰＮｉで送信する。一般に、屋内基地局１１５によって生成された全ての信号は、屋内カバレッジ・システム全体、または建物１１０の内部をカバーするように送信される。
【００２７】
屋内基地局と屋外基地局との間の呼ハンドオフの実施例
次に、屋内基地局１１５と屋外基地局１０５との間の代表的なモバイルユーザの呼ハンドオフの諸例示的実施形態が、図２のプロセスに関して上記で説明されたように構成された図１の通信システム１００を参照しながら、図３および４に関して以下で説明される。
【００２８】
図３は、モバイルユーザが本発明の一例示的実施形態による図１の通信システム１００を有する建物１１０に入るとき行われる呼ハンドオフ要求プロセスを示す。
【００２９】
図３の例示的実施形態では、モバイルユーザが、最初、建物１１０の外側に配置されており、Ｆｏ（ＰＮｏ）で動作する屋外カバレッジ信号上で屋外基地局１０５によってサービスされていると仮定する。
【００３０】
ステップＳ３２５において、モバイルユーザが建物アクセスポイント１２０を通って建物１１０に入り始める。ステップＳ３３０において、モバイルユーザが、屋外周波数Ｆｏ（例えば、屋外カバレッジ信号Ｆｏ（ＰＮｏ）および第２の表示パイロット信号Ｆｏ（ＰＮｉ））上の全てのパイロット信号の信号強度を測定する。この例示的実施形態の説明のために、モバイルは現在のキャリアＦｏ上のパイロットを探索するだけであると仮定する。言い換えれば、通信システム１００の中で、モバイルは、モバイルがそれぞれ異なるキャリアの中のパイロット信号を探索しないように、周波数間モードを可能にしない。したがって、例えば、モバイルが屋外カバレッジ信号Ｆｏ（ＰＮｏ）を有する屋外基地局１０５によってサービスされる場合、モバイルは、パイロットを（例えば、そのアクティブセットにポピュレートするために）屋外キャリアＦｏ上で探索し、屋内キャリアＦｉ上では探索しないであろう。しかし、モバイルは、屋外チャネル（Ｆｏ）および屋内パイロットＰＮｉを割り当てられた第２の表示パイロット信号Ｆｏ（ＰＮｉ）を検出することができる。上記で論じられたように、第２の表示パイロット信号Ｆｏ（ＰＮｉ）が、モバイルを「だまして」あたかも屋外ＣＤＭＡカバレッジエリアが屋外カバレッジと同一の周波数を有する建物１１０の屋内エリアの中に延在するかのように動作させるために、屋内基地局１１５によって生成される。ステップＳ３３５において、第２の表示パイロット信号（例えば、屋内基地局１１５によって送信された「屋内」パイロット信号）の測定された信号強度が、（例えば、屋外基地局１０５によって送信された）屋外パイロット信号の測定された信号強度より大きい場合は、プロセスはステップＳ３４０に進む。そうでない場合は、プロセスはステップＳ３２０に戻り、屋外基地局１０５はモバイルユーザにサービスし続ける。ステップＳ３４０において、モバイルユーザが屋外基地局１０５から屋内基地局１１５へのハンドオフを要求する。
【００３１】
上記で説明されたように、第２の表示パイロット信号Ｆｏ（ＰＮｉ）は、モバイルユーザが建物アクセスポイント１２０を経由して建物１１０に入るとき第２の表示パイロット信号Ｆｏ（ＰＮｉ）の強度がより大きいように、建物１１０の内部をカバーするように送信される。したがって、ステップＳ３２５においてモバイルユーザが建物１１０のほうに移動し続けて建物アクセスポイント１２０を通ってその中に入るとき、屋内パイロット信号の測定された信号強度が屋外パイロット信号の測定された信号強度をすぐに超えることが理解されるであろう。この時点で、ステップＳ３４０において、屋内パイロット信号Ｆｏ（ＰＮｉ）が屋外カバレッジ信号Ｆｏ（ＰＮｏ）より強いので、モバイルが屋内基地局１１５へのハンドオフを要求する。しかし、屋内パイロット・チャネルだけが屋内基地局１１５のための屋外キャリアまたはチャネルＦｏの中で動作し、したがって、ネットワーク・ハンドオフ・アルゴリズムがハンドオフ要求をより高いレベル（例えば、ＣＤＭＡセミソフトまたはハード・ハンドオフ）にエスカレートさせることが、ネットワークで知られている。ネットワークは、通常、モバイルに屋内カバレッジ信号への周波数間ハンドオフを行うように指示するであろう。したがって、このようにして、屋内表示パイロット信号は、屋内パイロット信号、または第２の表示パイロット信号、Ｆｏ（ＰＮｉ）の検出によって、屋外カバレッジ信号Ｆｏ（ＰＮｏ）を有する屋外基地局１０５から屋内カバレッジ信号Ｆｉ（ＰＮｉ）を有する屋内基地局１１５への「円滑な」ハンドオフをサポートする。
【００３２】
図４は、モバイルユーザが本発明の一例示的実施形態による図１の通信システム１００を有する建物１１０を出るとき行われる呼ハンドオフ要求プロセスを示す。
【００３３】
図４の例示的実施形態では、モバイルユーザが、最初、建物１１０の内部に配置されており、Ｆｉ（ＰＮｉ）で動作する屋外カバレッジ信号上で屋内基地局１１５によってサービスされていると仮定する。
【００３４】
ステップＳ４２５において、モバイルユーザが建物アクセスポイント１２０を通って建物１１０を出始める。ステップＳ４３０において、モバイルユーザが屋内周波数Ｆｉ上で動作している全てのパイロット信号の信号強度を測定する。したがって、モバイルユーザは、屋内カバレッジ信号Ｆｉ（ＰＮｉ）および第１の表示パイロット信号Ｆｉ（ＰＮｏ）を検出し測定する。上記で説明されたように、モバイルは、現在サービスしている基地局が送信しているキャリア（例えば、この場合は、Ｆｉ）上でパイロットを探索するだけであると仮定する。言い換えれば、通信システム１００の中で、周波数間パイロット信号探索、およびモバイルは、別々のキャリアの中のパイロット信号を探索しない。したがって、例えば、モバイルが屋内カバレッジ信号Ｆｉ（ＰＮｉ）を有する屋内基地局１１５によってサービスされる場合、モバイルは、パイロットを（例えば、そのアクティブセットにポピュレートするために）屋内キャリアＦｉ上で探索し、屋外キャリアＦｏ上では探索しないであろう。しかし、モバイルユーザは、屋内チャネルまたはキャリア、および屋外パイロットＰＮｏを割り当てられた第１の表示パイロット信号Ｆｉ（ＰＮｏ）を検出することができる。ステップＳ４３５において、第１の表示パイロット信号Ｆｉ（ＰＮｏ）の測定された信号強度が、屋内パイロット信号Ｆｉ（ＰＮｉ）の測定された信号強度より大きい場合は、プロセスはステップＳ４４０に進む。そうでない場合は、プロセスはステップＳ４２０に戻り、屋内基地局１１５はモバイルユーザにサービスし続ける。ステップＳ４４０において、モバイルユーザが屋内基地局１１５から屋外基地局１０５へのハンドオフを要求する。
【００３５】
上記で説明されたように、パイロット・アンテナ１３０は、屋外パイロット信号または第１の表示パイロット信号Ｆｉ（ＰＮｏ）を建物アクセスポイント１２０から（例えば、Ｆｉ（ＰＮｏ）パイロットの信号強度が屋内から屋外へ増大するように）「内部へ」送信する。したがって、ステップＳ４２５においてモバイルユーザが建物アクセスポイント１２０を通って建物１１０を出続けるとき、第１の表示パイロット信号Ｆｉ（ＰＮｏ）の測定された信号強度が屋内カバレッジ信号Ｆｉ（ＰＮｉ）の測定された信号強度をまもなく超えるであろうことが理解されるであろう（図４のステップＳ４３０およびＳ４３５参照）。この時点で、（例えば、第１の表示パイロット信号Ｆｉ（ＰＮｏ）が、モバイルユーザをだましてダミー信号をあたかも実際の基地局から送信されたかのように思わせるためにダミー・パイロット信号として働くので）、モバイルは屋外基地局１０５へのハンドオフを要求することができる。しかし、屋外基地局１０５が屋外キャリアＦｏの中でカバレッジを提供し、第１の表示パイロット信号Ｆｉ（ＰＮｏ）のためのパイロット・チャネルだけが屋内キャリアＦｉの下で動作することが、ネットワークで知られている。したがって、ネットワーク・ハンドオフ・アルゴリズムは、ハンドオフ要求をより高いレベル（例えば、ＣＤＭＡセミソフトまたはハード・ハンドオフ）にエスカレートさせる。ネットワークは、通常、モバイルに屋外カバレッジ信号への周波数間ハンドオフを行うように指示する。したがって、このようにして、屋外または第１の表示パイロット信号は、屋外パイロット信号、または第１の表示パイロット信号Ｆｉ（ＰＮｏ）の検出によって、屋内カバレッジ信号Ｆｉ（ＰＮｉ）を有する屋内基地局１１５から屋外カバレッジ信号Ｆｏ（ＰＮｏ）を有する屋外基地局１０５への「円滑な」ハンドオフをサポートする。
【００３６】
本発明の諸例示的実施形態がこのように説明されたが、それらは多くのやり方で変えられることができることが明らかであろう。例えば、「内部」空間および「外部」空間に関して上記で説明されたが、内部および外部は広く解釈されることが理解される。例えば、「内部」は、必ずしも封じられた空間を意味するのではなく、外側の領域への比較的大きな開口部を有する、車庫、倉庫など、いかなるタイプの囲まれたエリアにも適用されることができる。
【００３７】
さらに、本発明の諸例示的実施形態は、空間のいかなる所望の区画化にも適用されることができ、必ずしも屋内／屋外区画に適用されるわけではない。例えば、小さな島が大きな都市の近くにある場合、「屋内」パイロット・アンテナおよび「屋外」パイロット・アンテナが、島の都市に最も近い地点に配置されてもよく、「屋内」パイロット・アンテナは、パイロット信号（例えば、「屋内」基地局、または島にサービスしている基地局のパイロット信号）を島に向かって放射し、「屋外」パイロット・アンテナは、パイロット信号（例えば、「屋外」基地局、または都市の一部分にサービスしている基地局に関連するパイロット信号）を都市に向かって放射する。したがって、島上のモバイルユーザが都市にサービスしている「屋外」基地局への呼セットアップを要求する確率が低減されることができる（例えば、島のモバイルユーザが島上の別の位置に移動するとき「ドロップ呼」の発生を低減する）。
【００３８】
さらに、本発明の前述の諸例示的実施形態は、ＣＤＭＡを対象としているように一般的に説明されてきたが、本発明の他の諸例示的実施形態は、いかなるよく知られているＣＤＭＡベースの無線通信プロトコル（例えば、ＷＣＤＭＡ、ＵＭＴＳ、ＥＶＤＯなど）をも対象とすることができることが理解される。
【００３９】
さらに、建物アクセスポイント１２０は、「屋外」パイロット・アンテナ１３０を含むだけであるように上記で説明されているが、本発明の他の諸例示的実施形態は、別の「屋内」パイロット・アンテナをセットアップすることもでき、同一の一般的領域内に屋内／屋外パイロット・アンテナを含む必要がないことが理解される。言い換えれば、前述の諸例示的実施形態は、建物アクセスポイント１２０が入口と出口の両方を含むと仮定しているが、他の建物は入口と出口を分離することができる。したがって、一実施例では、別々の隔離された入口および出口を有する建物において、円滑な呼ハンドオフおよび／または呼セットアップを容易にするために、屋内パイロット・アンテナが建物の「入口」に配置されることができ、「屋外」パイロット・アンテナ１３０が建物の出口に配置されることができる。したがって、隣接していない入口および出口を有する建物では、それぞれの露出エリアでパイロット汚染を低減し円滑なハンドオフ／セットアップを保証するために、追加のパイロット・アンテナが配備されることができる。
【００４０】
そのような諸変形形態は、本発明の諸例示的実施形態からの逸脱とみなされるべきではなく、全てのそのような変更形態は、本発明の範囲内に含まれるものとする。
【図１】
2010515352.tif 000003
【図２】
2010515352.tif 000004
【図３】
2010515352.tif 000005
【図４】
2010515352.tif 000006
【国際調査報告】
2010515352.tif 000007
2010515352.tif 000008
2010515352.tif 000009